(57)【要約】【課題】本発明は、レベルを調節可能であり、かつ装着取り外しし易い立体プリンタ装置の成形作業台を提供する。【解決手段】本発明は、立体プリンタ装置の成形作業台を提供し、台座、１組または１組以上の位置決めアセンブリ、載置板、および１組または１組以上の校正アセンブリを含む。位置決めアセンブリは冶具、および弾性部品を含み、冶具は台座に可動的に設けられ、弾性部品は冶具を連動することで冶具を台座に向けて押す。載置板は台座に設けられ、かつ載置板の辺縁の１箇所は冶具により押圧されて載置板を台座に固定するようにする。校正アセンブリはスクリュを含み、スクリュは台座に設けられ、かつ載置板に接続されている。位置決めアセンブリと校正アセンブリとの組み合わせにより載置板のレベルを校正可能であり、かつ装着取り外しし易い。【選択図】図５
2019034533.tif 000002
【特許請求の範囲】
【請求項１】
立体プリンタ装置の成形作業台であって、
台座と、
前記台座に可動的に設けられた冶具、および前記冶具を連動することで前記冶具を前記台座に移動させる弾性部品を含む位置決めアセンブリと、
前記台座に設けられ、かつ辺縁の１箇所が前記冶具により押圧されて前記台座に固定されている載置板と、
前記台座に設けられかつ前記載置板に当接するスクリュを含む校正アセンブリと、を含む作業台。
【請求項２】
前記位置決めアセンブリは、前記校正アセンブリに隣接して配置されている請求項１に記載の立体プリンタ装置の成形作業台。
【請求項３】
前記位置決めアセンブリおよび前記校正アセンブリは、前記載置板の角に配置されている請求項２に記載の立体プリンタ装置の成形作業台。
【請求項４】
他の位置決めアセンブリをさらに含み、かつ前記校正アセンブリは２つの位置決めアセンブリの間に配置されている請求項１に記載の立体プリンタ装置の成形作業台。
【請求項５】
２つの位置決めアセンブリおよび前記校正アセンブリは、前記載置板の側辺に沿って配列して配置されている請求項４に記載の立体プリンタ装置の成形作業台。
【請求項６】
前記位置決めアセンブリは前記台座を移動可能に貫通するスライドロッドを含み、前記弾性部品は前記スライドロッドの一端と前記台座との間に接続され、前記冶具は前記スライドロッドの他端に設けられている請求項１に記載の立体プリンタ装置の成形作業台。
【請求項７】
前記スライドロッドは前記弾性部品に穿接されている請求項６に記載の立体プリンタ装置の成形作業台。
【請求項８】
前記位置決めアセンブリは、一端が前記台座に接続されたスライドロッドを含み、前記弾性部品は予め圧縮され、かつ前記スライドロッドの他端と前記台座との間に接続され、かつ前記冶具は弾性部品と前記台座との間に挟持されている請求項１に記載の立体プリンタ装置の成形作業台。
【請求項９】
前記スライドロッドは、前記弾性部品に穿接されている請求項８に記載の立体プリンタ装置の成形作業台。
【請求項１０】
前記校正アセンブリは、前記台座および前記スクリュをそれぞれ押し付けることで前記台座および前記スクリュを圧迫して固定する弾性部品を含む請求項１に記載の立体プリンタ装置の成形作業台。
【請求項１１】
前記スクリュは前記弾性部品に穿接され、前記弾性部品は前記台座および前記スクリュの他端をそれぞれ押し付けている請求項１０に記載の立体プリンタ装置の成形作業台。
【請求項１２】
前記スクリュは、前記台座を貫通している請求項１に記載の立体プリンタ装置の成形作業台。
【請求項１３】
前記台座は立体プリンタ装置の機台本体、または立体プリンタ装置の移動機構に固定され、プリント時にそれに伴い移動する請求項１に記載の立体プリンタ装置の成形作業台。
【請求項１４】
前記スクリュは前記台座に螺接され、前記載置板のレベルを校正することに用いられる請求項１に記載の立体プリンタ装置の成形作業台。
【請求項１５】
前記台座に固設された他の冶具を有する他の位置決めアセンブリをさらに含む請求項１に記載の立体プリンタ装置の成形作業台。
【発明の詳細な説明】
【技術分野】
【０００１】
本発明は立体プリンタ装置に関し、特に、レベルを調節可能であり、かつ装着取り外しし易い立体プリンタ装置の成形作業台である。
【背景技術】
【０００２】
ＦＤＭ（Ｆｕｓｅｄ  Ｄｅｐｏｓｉｔｉｏｎ  Ｍｏｄｅｌｉｎｇ）熱溶解積層技術は３Ｄプリンタにおける１つの方式であり、ＦＤＭの成形方法は、線状の熱溶性材料を加熱溶解するとともに、成形噴射ヘッドが、プリロードされたイメージファイルの断面輪郭に基づき、作業台に材料を選択的に塗布し、材料が冷却、固化した後に断面を形成するものである。１つの層の成形完了後、作業台は１高度（即ち、分層の厚み）下降して次の層を成形し、立体製品全体を形成するまでこれを続ける。立体製品は作業台に接着しており、かつ作業台上方には成形噴射ヘッドがさらに設けられているため、製品を取り外し難い。
【０００３】
従って、既存の技術では、作業台を分離可能な板体に設計することで、製品を取り外すようにしている。この設計の欠点は、作業台を取り外す過程において作業台のレベルが狂い易く、作業台のレベルを校正可能にするためには、作業台にその他機構を追加で組み合わせることで、作業台のレベルが狂うという課題を処理する必要があり、しかもこれによりムーブメントの体積が大きくなり、操作または運転が相対的に順調でなく、制御し難くなることである。
これに鑑み、本発明者は上述の既存技術について特に鋭意検討し、かつ学問上の理論の運用を踏まえ、上述の課題を解決すよう努力することが本発明者の改良の目標である。
【発明の概要】
【発明が解決しようとする課題】
【０００４】
本発明は、レベルを調節可能であり、かつ装着取り外しし易い立体プリンタ装置の成形作業台を提供する。
【課題を解決するための手段】
【０００５】
本発明は、立体プリンタ装置の成形作業台を提供し、台座、位置決めアセンブリ、載置板、および校正アセンブリを含む。位置決めアセンブリは冶具、および弾性部品を含み、冶具は台座に可動的に設けられ、弾性部品は冶具を連動することで冶具を台座に移動させる。載置板は台座に設けられ、かつ載置板の辺縁の１箇所は冶具により押圧されて載置板を台座に固定するようにする。校正アセンブリはスクリュを含み、スクリュは台座に設けられ、かつ載置板に接続している。
【０００６】
本発明の立体プリンタ装置の成形作業台は、その位置決めアセンブリが校正アセンブリに隣接して配置されてもよい。かつ位置決めアセンブリ、および校正アセンブリは載置板の角に配置されている。
【０００７】
本発明の立体プリンタ装置の成形作業台は、他の位置決めアセンブリをさらに含んでもよく、かつ校正アセンブリは２つの位置決めアセンブリの間に配置されている。２つの位置決めアセンブリ、および校正アセンブリは載置板の側辺に沿って配列され配置されている。
【０００８】
本発明の立体プリンタ装置の成形作業台は、そのうちの位置決めアセンブリがスライドロッドを含み、スライドロッドは台座を移動可能に貫通し、弾性部品はスライドロッドの一端と台座との間に接続され、冶具はスライドロッドの他端に設けられている。スライドロッドは弾性部品に穿接されている。
【０００９】
本発明の立体プリンタ装置の成形作業台は、そのうちの位置決めアセンブリがスライドロッドを含み、スライドロッドの一端は台座に接続され、弾性部品は予め圧縮され、かつスライドロッドの他端と台座との間に接続され、かつ冶具は弾性部品と台座との間に挟持されている。スライドロッドは弾性部品に穿接されている。
【００１０】
本発明の立体プリンタ装置の成形作業台は、そのうちの校正アセンブリが弾性部品を含み、弾性部品は台座およびスクリュをそれぞれ押し付けることで、台座およびスクリュを圧迫して固定している。スクリュは弾性部品に穿接され、弾性部品は台座およびスクリュの他端をそれぞれ押し付けている。スクリュは台座を貫通している。スクリュの一端は載置板に当接している。そのスクリュは台座に螺接されて、載置板のレベルを校正することに用いられる。台座は立体プリンタ装置の機台本体、または立体プリンタ装置の移動機構に固定され、プリント時にそれに伴い移動する。
【００１１】
本発明の立体プリンタ装置の成形作業台は、台座に固設された他の冶具を有する他の位置決めアセンブリをさらに含んでもよい。
【００１２】
本発明の立体プリンタ装置は、その位置決めアセンブリと校正アセンブリとの組み合わせにより載置板のレベルを校正可能であり、かつ装着取り外しし易い。
【図面の簡単な説明】
【００１３】
【図１】本発明の好適な実施例の立体プリンタ装置の成形作業台の立体概略図である。
【図２】本発明の好適な実施例の立体プリンタ装置の成形作業台の立体概略図である。
【図３】本発明の好適な実施例の立体プリンタ装置の成形作業台の立体概略図である。
【図４】本発明の好適な実施例の立体プリンタ装置の成形作業台の立体分解概略図である。
【図５】本発明の好適な実施例の立体プリンタ装置の成形作業台の断面図である。
【図６】本発明の好適な実施例の立体プリンタ装置の成形作業台の使用状態の概略図である。
【図７】本発明の好適な実施例の立体プリンタ装置の成形作業台の使用状態の概略図である。
【図８】本発明の好適な実施例の立体プリンタ装置の成形作業台の使用状態の概略図である。
【図９】位置決めアセンブリの他の実施形態である。
【図１０】位置決めアセンブリのさらに他の実施形態である。
【発明を実施するための形態】
【００１４】
図１〜５を参照すると、本発明の好適な実施例は、立体プリンタ装置の成形作業台を提供し、台座１００、少なくとも１つの位置決めアセンブリ２００／２００ａ、載置板３００、および少なくとも１つの校正アセンブリ４００／４００ａを含む。
【００１５】
本実施例において、台座１００は好ましくは金属製の板体であるが、本発明はこれに限定されない。台座１００は、立体プリンタ装置に固設されて載置板３００を支えることに用いられる。本実施例において、台座１００には好ましくは、貫通孔が設けられて立体プリンタ装置の機台本体にロック可能である。従って、台座１００は機台に対して移動できず、一方、載置板３００は機台に対して移動可能であることでレベルを校正する。
【００１６】
他の実施例において、台座１００には好ましくは、貫通孔が設けられて立体プリンタ装置の移動機構にロック可能であることで、プリント時にそれに伴い移動し、水平のＸ−Ｙ方向または垂直のＺ方向または両者の移動を含む。従って、台座１００は機台に対してレベル校正ができず、一方、載置板３００は機台に対して移動可能であることでレベルを校正する。
【００１７】
本実施例において、台座１００には好ましくは、構造および機能が同一の４つの位置決めアセンブリ２００／２００ａが配置されることで載置板３００を押圧して固定する。本実施例においては、そのうちの１つの位置決めアセンブリ２００で説明し、位置決めアセンブリ２００は冶具２１０、弾性部品２２０、およびスライドロッド２３０を含み、スライドロッド２３０は台座１００に設けられ、かつ冶具２１０に接続して冶具２１０を台座１００に可動的に設けるようにし、弾性部品２２０は冶具２１０を連動して、かつ冶具２１０が台座１００に向けて押すことで載置板３００を押圧する。
【００１８】
本実施例において、好ましくは、スライドロッド２３０は台座１００を移動可能に貫通し、かつスライドロッド２３０の一端は冶具２１０を貫通して冶具２１０を台座１００に可動的に設けるようにし、弾性部品２２０はスライドロッド２３０の一端と台座１００との間に接続され、かつスライドロッド２３０により冶具２１０を牽引可能にする。本実施例において、スライドロッド２３０の両端はそれぞれ側方向にフランジ２３１／２３２を突出することで、冶具２１０および弾性部品２２０に当接するようになる。
【００１９】
弾性部品２２０は好ましくは、円柱バネであり、スライドロッド２３０は弾性部品２２０に穿接され、かつ弾性部品２２０は予め圧縮して配置され、弾性部品２２０の両端がそれぞれ台座１００およびスライドロッド２３０の対応するそのうちの１つのフランジ２３２を押し付けるようにする。弾性部品２２０は、これによりスライドロッド２３０を連動でき、かつスライドロッド２３０の他端のフランジ２３１により冶具２１０を台座１００に向けて押す。
【００２０】
図６〜８を参照すると、本実施例において、載置板３００は好ましくは、矩形板体であるが、本発明はこれに限定されない。載置板３００は台座１００に設けられることで、その上に立体製品をプリントして形成する。本実施例において、載置板３００は好ましくは、台座１００に置かれ、かつ各位置決めアセンブリ２００／２００ａは載置板３００の辺縁の１箇所をそれぞれ押圧して載置板３００を台座１００に固定する。好ましくは、当該それらの位置決めアセンブリ２００／２００ａは載置板３００の４つの角をそれぞれ挟持している。
【００２１】
使用者は、スライドロッド２３０における冶具２１０に対向する一端から軸方向にスライドロッド２３０を推動して弾性部品２２０を圧縮できるとともに、冶具２１０を押圧するフランジ２３１を冶具２１０から離脱させることで、冶具２１０は使用者により回転、または持ち上げ可能となり、載置板３００を装着または取り外しし易くなる。
【００２２】
図２、図５、および図８を参照すると、本実施例において、台座１００には好ましくは、構造および機能が同一な３つの校正アセンブリ４００／４００ａが配置され、本実施例においては、そのうちの１つの校正アセンブリ４００で説明し、校正アセンブリ４００はスクリュ４１０、および弾性部品４２０を含み、スクリュ４１０は台座１００を貫通し、かつ台座１００に螺接され、スクリュ４１０の一端は載置板３００に当接している。
【００２３】
弾性部品４２０は台座１００およびスクリュ４１０をそれぞれ押し付けることで、台座１００およびスクリュ４１０を圧迫して固定する。本実施例において、スクリュ４１０の他端は好ましくは、側方向にフランジ４１１を突出し、弾性部品４２０は好ましくは、円柱バネであり、スクリュ４１０は弾性部品４２０に穿接され、かつ弾性部品４２０は予め圧縮されて配置され、弾性部品４２０の両端が台座１００およびスクリュ４１０のフランジ４１１をそれぞれ押し付けるようにし、これによりスクリュ４１０を圧迫している。
【００２４】
本発明の立体プリンタ装置の成形作業台は、その位置決めアセンブリ２００／２００ａは載置板３００を台座１００に押圧して固定するために用いられ、各校正アセンブリ４００／４００ａは載置板３００の高度位置を調節するために用いられ、３つの校正アセンブリ４００／４００ａは載置板３００上の３つの点の高度位置を調節するために用いられ、これにより載置板３００のレベルを校正可能になる。
【００２５】
本発明の立体プリンタ装置は、その位置決めアセンブリ２００／２００ａと対応する校正アセンブリ４００／４００ａとの組み合わせにより載置板３００のレベルを校正可能である。具体的には、位置決めアセンブリ２００／２００ａはその弾性部品２２０の弾性力により載置板３００を押圧し、従って、校正アセンブリ４００／４００ａにより載置板３００の高度位置を変更するとき、各位置決めアセンブリ２００／２００ａの冶具２１０がいずれも移動可能になることで、校正アセンブリ４００／４００ａにより載置板３００を持ち上げて載置板３００の位置を変更させることを許容する。しかも使用者は冶具２１０を推動して載置板３００を解放でき、従って、載置板３００のレベルを調整できるだけでなく、載置板３００を装着取り外しし易い。
【００２６】
本発明の立体プリンタ装置の成形作業台は、そのうちの２つの校正アセンブリ４００が載置板３００の隣接する２つの角にそれぞれ対応して配置され、それぞれこの２つの角に位置する各位置決めアセンブリ２００に隣接して配置されている。他の校正アセンブリ４００ａは他の２つの位置決めアセンブリ２００ａの間に配置され、この対の位置決めアセンブリ２００ａと校正アセンブリ４００／４００ａとは載置板３００の側辺に対応して配列して配置されている。
【００２７】
図９に示すのは、位置決めアセンブリ２００の他の形態であり、位置決めアセンブリ２００のスライドロッド２３０の一端が台座１００に接続（当接または固接）され、スライドロッド２３０は弾性部品２２０および冶具２１０に穿接され、冶具２１０がスライドロッド２３０に沿って可動とする。弾性部品２２０は予め圧縮され、かつスライドロッド２３０の他端と冶具２１０との間に接続され、冶具２１０が弾性部品２２０と台座１００との間に挟持されるようにし、従って、載置板３００が冶具２１０と台座１００との間に入るとき、弾性部品２２０は冶具２１０に力を付与して冶具２１０が載置板３００を押圧するようにできる。
【００２８】
校正アセンブリ４００により載置板３００の高度位置を変更するとき、位置決めアセンブリ２００の冶具２１０が移動可能になることで、校正アセンブリ４００により載置板３００を持ち上げて載置板３００の位置を変更させることを許容する。しかも、使用者は冶具２１０を推動して載置板３００を解放でき、従って、載置板３００のレベルを調整できるだけでなく、載置板３００を装着取り外しし易い。
【００２９】
図１０を参照すると、本発明の立体プリンタ装置の成形作業台は、その一部の位置決めアセンブリ２００ｂが台座１００に固定溶接されてもよく、固定式の位置決めアセンブリ２００ｂを形成する。具体的には、固定式の位置決めアセンブリ２００ｂは固定式の冶具２１０ｂのみを含んでもよく、かつ固定式の冶具２１０ｂは台座１００に溶接して固定されている。このとき、使用者は引き続き可動設置された位置決めアセンブリ２００の冶具２１０を回転、または持ち上げることができ、かつ先ず載置板３００を水平に引き抜き、固定式の位置決めアセンブリ２００ｂから離脱させた後、載置板３００を取り外すことができる。逆の順序で載置板３００を装着できる。
【００３０】
以上は本発明の好適な実施例に過ぎず、本発明の特許請求の範囲を限定するものではない。本発明の特許主旨を運用したその他の等価の変更はいずれも本発明の特許請求の範囲に属するものとする。
【符号の説明】
【００３１】
１００  台座
２００／２００ａ／２００ｂ  位置決めアセンブリ
２１０／２１０ｂ  冶具
２２０  弾性部品
２３０  スライドロッド
２３１／２３２  フランジ
３００  載置板
４００／４００ａ  校正アセンブリ
４１０  スクリュ
４１１  フランジ
４２０  弾性部品
【図１】
2019034533.tif 000003
【図２】
2019034533.tif 000004
【図３】
2019034533.tif 000005
【図４】
2019034533.tif 000006
【図５】
2019034533.tif 000007
【図６】
2019034533.tif 000008
【図７】
2019034533.tif 000009
【図８】
2019034533.tif 000010
【図９】
2019034533.tif 000011
【図１０】
2019034533.tif 000012